(57)【要約】【課題】様々な負荷運転時の各アクチュエータ系駆動ＤＣ電源電圧の適正化を図り消費電力量を抑制する冷凍冷蔵庫を提供することを目的とする。【解決手段】この発明に係る冷凍冷蔵庫は、圧縮機、凝縮器、減圧装置、蒸発器を順次接続して冷媒回路を形成し、蒸発器にて生成した冷気を庫内に設置された可変速ＤＣモータより駆動する庫内ファンによって強制循環させ、各種アクチュエータ系駆動機を有する冷凍冷蔵庫において、冷凍冷蔵庫の負荷を検知する手段と、検知した負荷に応じて、各アクチュエータ系駆動機へ供給するＤＣ電源電圧を調整する手段とを備えたことを特徴とする。【選択図】        図３
2005214497.tif 000002
【特許請求の範囲】
【請求項１】
圧縮機、凝縮器、減圧装置、蒸発器を順次接続して冷媒回路を形成し、前記蒸発器にて生成した冷気を庫内に設置された可変速ＤＣ（直流）モータより駆動する庫内ファンによって強制循環させ、各種アクチュエータ系駆動機を有する冷凍冷蔵庫において、
冷凍冷蔵庫の負荷を検知する手段と、
前記検知した負荷に応じて、各アクチュエータ系駆動機へ供給するＤＣ電源電圧を調整する手段と、
を備えたことを特徴とする冷凍冷蔵庫。
【請求項２】
軽負荷運転時は前記アクチュエータ系駆動ＤＣ電源電圧を低電圧側に調整することを特徴とする請求項１記載の冷凍冷蔵庫。
【請求項３】
温度調節スイッチを設け、前記温度調節スイッチと連動して、前記アクチュエータ系駆動ＤＣ電源電圧を調整する手段を設けたことを特徴とする請求項１又は請求項２記載の冷凍冷蔵庫。
【請求項４】
貯氷量を検知する手段を設け、前記貯氷量が所定量以上にて前記アクチュエータ系駆動ＤＣ電源電圧を調整する手段を設けたことを特徴とした請求項１又は請求項２記載の冷凍冷蔵庫。
【請求項５】
扉開閉を検知する手段を設け、扉開閉と同時に前記アクチュエータ系駆動ＤＣ電源電圧を調整する手段を設けたことを特徴とした請求項１又は請求項２記載の冷凍冷蔵庫。
【請求項６】
外気温度検知手段を設け、前記外気温度が所定温度範囲内にて前記アクチュエータ系駆動ＤＣ電源電圧を調整する手段を設けたことを特徴とする請求項１又は請求項２記載の冷凍冷蔵庫。
【請求項７】
各室内温度を検知する手段を設け、各室内温度が所定温度範囲内にて前記アクチュエータ系駆動ＤＣ電源電圧を調整する手段を設けたことを特徴とする請求項１又は請求項２記載の冷凍冷蔵庫。
【請求項８】
冷却器温度を検知する手段を設け、前記冷却器温度が所定温度範囲内にて前記アクチュエータ系駆動ＤＣ電源電圧を調整する手段を設けたことを特徴とする請求項１又は請求項２記載の冷凍冷蔵庫。
【請求項９】
前記圧縮機の吸入管温度を検知する手段を設け、前記吸入管温度が所定温度範囲内にて前記アクチュエータ系駆動ＤＣ電源電圧を調整する手段を設けたことを特徴とする請求項１又は請求項２記載の冷凍冷蔵庫。
【請求項１０】
圧縮機、凝縮器、減圧装置、蒸発器を順次接続して冷媒回路を形成し、前記蒸発器にて生成した冷気を庫内に設置された可変速ＤＣモータより駆動する庫内ファンによって強制循環させ、各種アクチュエータ系駆動機を有する冷凍冷蔵庫の制御方法において、
冷凍冷蔵庫の負荷を検知する工程と、
前記検知した負荷に応じて、各アクチュエータ系駆動機へ供給するＤＣ電源電圧を調整する工程と、
を備えたことを特徴とする冷凍冷蔵庫の制御方法。
【発明の詳細な説明】
【技術分野】
【０００１】
この発明は、圧縮機→凝縮器→減圧装置→１つあるいは２つの蒸発器の順路にて冷媒回路を形成し、冷却器（蒸発器）にて生成した冷気を庫内に設置された可変速ＤＣ（直流）モータより駆動するファンによって強制循環し、かつ、少なくとも冷蔵室および冷凍室を有する冷凍冷蔵庫及び冷凍冷蔵庫の制御方法に関するものである。
【背景技術】
【０００２】
従来の冷蔵庫では、庫内に冷気を循環させるための送風機を駆動するＤＣ電動機に流れる電流を検知する手段を備え、ＤＣ電動機の運転を制御するための制御手段は、この電流検知手段が検知する電流値に応じて電源回路の出力電圧を調整する（例えば、特許文献１参照）。
【０００３】
また、従来の冷蔵庫のファンモータ制御回路は、圧縮機を駆動するスイッチング素子と、冷蔵庫内ファンモータを駆動するスイッチング素子とを含む、固定の直流電源からの駆動電力を圧縮機と冷蔵庫内ファンモータに供給するものにおいて、圧縮機の回転数指令を付与する冷蔵庫制御回路と、冷蔵庫制御回路からの回転数指令に基づいて圧縮機を駆動するスイッチング素子の出力電圧を制御するチョッパ信号を生成するスイッチング素子制御回路とを備え、チョッパ信号を冷蔵庫内ファンモータを駆動するスイッチング素子に共通に付与する（例えば、特許文献２参照）。
【特許文献１】特開２０００−５０６８１号公報
【特許文献２】特開平１０−１６０３１６号公報
【発明の開示】
【発明が解決しようとする課題】
【０００４】
従来の冷蔵庫は、供給元のＤＣ電源電圧は、その電圧は供給されるＤＣ電源電圧は最大負荷運転時の作動電圧により決定される。基板の構成として、ＤＣ−ＤＣ電源の２次側出力電圧を決める設定の抵抗値を１設定とし、出力電圧を１設定に固定している。
【０００５】
従って、低負荷運転時も供給元のＤＣ電源電圧は各アクチュエータ系駆動部品の最大負荷時の電圧により動作している。
【０００６】
従来の冷凍冷蔵庫では、低負荷運転時あるいは省エネ運転時でもアクチュエータ系駆動ＤＣ電源電圧の最大負荷時の電圧にて運転しており、消費電力を多く費やしていた。
【０００７】
この発明は、上述のような問題点を解決するためになされたもので、様々な負荷運転時の各アクチュエータ系駆動ＤＣ電源電圧の適正化を図り消費電力量を抑制する冷凍冷蔵庫及び冷凍冷蔵庫の制御方法を提供することを目的とする。
【課題を解決するための手段】
【０００８】
この発明に係る冷凍冷蔵庫は、圧縮機、凝縮器、減圧装置、蒸発器を順次接続して冷媒回路を形成し、蒸発器にて生成した冷気を庫内に設置された可変速ＤＣモータより駆動する庫内ファンによって強制循環させ、各種アクチュエータ系駆動機を有する冷凍冷蔵庫において、冷凍冷蔵庫の負荷を検知する手段と、検知した負荷に応じて、各アクチュエータ系駆動機へ供給するＤＣ電源電圧を調整する手段とを備えたことを特徴とする。
【発明の効果】
【０００９】
この発明に係る冷凍冷蔵庫は、圧縮機、凝縮器、減圧装置、蒸発器を順次接続して冷媒回路を形成し、蒸発器にて生成した冷気を庫内に設置された可変速ＤＣモータより駆動する庫内ファンによって強制循環させ、各種アクチュエータ系駆動機を有する冷凍冷蔵庫において、冷凍冷蔵庫の負荷を検知する手段と、検知した負荷に応じて、各アクチュエータ系駆動機へ供給するＤＣ電源電圧を調整する手段とを備えたものであり、圧縮機のオン／オフに関わらずＤＣ電源電圧の低電圧化を図ることが可能となり、各アクチュエータＤＣ駆動機の駆動電圧低減による効果により消費電力量の低減が可能となる。
【発明を実施するための最良の形態】
【００１０】
実施の形態１．
図１〜４は実施の形態１を示す図で、図１は冷凍冷蔵庫の構成を示す模式図、図２は冷凍サイクルを示す図、図３はＤＣ電源電圧の調整の制御の一例を示すフローチャート図、図４は基板の概念図である。
【００１１】
図１において、冷凍サイクルの一部を構成する圧縮機１は、冷凍冷蔵庫の最下部に位置する。冷気を生成する冷却器２（蒸発器）は、可変速ＤＣモータ３ａにより駆動される庫内ファン３とともに冷却室に設けられる。冷却器２で生成された冷気は、冷蔵室風路４から冷蔵室用ダンパ４ａを介して冷蔵室６へ送られる。また、冷却器２で生成された冷気は、冷凍室用風路５から冷凍室用ダンパ５ａを介して冷凍室８へ送られる。冷蔵室６と冷凍室８との間に野菜室７が設けられる。
【００１２】
制御基板９は、例えば冷蔵室内温度検知用サーミスタ１０、冷凍室内温度検知用サーミスタ１１の出力から温度を検出する温度検出手段１２、冷蔵室用ダンパ４ａ、冷凍室用ダンパ５ａを制御して庫内温度を調節する庫内温度調節手段１３、マイコン１４を備える。  
【００１３】
図２に示すように、冷凍冷蔵庫の冷媒回路５０は構成される。圧縮機１から高圧、高温の冷媒ガスを吐出し、凝縮器３０で液化し、減圧装置４０で減圧して低圧にの二相冷媒とし、冷却器２（蒸発器）で冷凍冷蔵庫の冷却室の空気と熱交換を行い気化して圧縮機１に戻る。尚、冷却器２（蒸発器）は、１つのものを示したが、２つでもよい。
【００１４】
図１に示す冷凍冷蔵庫は、例えば、外気温度、庫内負荷量に応じて、庫内温度調節手段１３により、庫内ファン３、冷蔵室用ダンパ４ａ、冷凍室用ダンパ５ａ等各アクチュエータ系駆動機をＤＣ電源電圧により駆動し、負荷状況に応じて圧縮機１の回転数および庫内ファン３の速度を変更し、適正な運転を実施している。
【００１５】
図３のＤＣ電源電圧の調整の制御の一例を示すフローチャートにおいて、例えば、圧縮機回転数の変更有無判定を実施し（ステップ１０１）、変更有る場合は回転数の判定を実施し（ステップ１０２、１０３）、任意の設定回転数範囲外の場合、適正な電源電圧へと調整を行う（ステップ１０４、１０５）。
【００１６】
外気温度上昇、あるいは庫内負荷増加、あるいは圧縮機１の連続運転時間等により現状の負荷を検知し、圧縮機回転数を変更する場合、圧縮機回転数判定を実施し、適正なＤＣ電源電圧に調整する。
【００１７】
基板構成として、１設定の抵抗値設定から、マイコンからの信号によるトランジスタのＯＮ／ＯＦＦで数種類の抵抗値の設定を切り替えることのできる回路を付加し、出力電圧を変更する。
【００１８】
図４の基板の概念図において、マイコン１４からの信号により、トランジスタ１５のＯＮ／ＯＦＦ切替によりＤＣ／ＤＣコンバータ１６へ入力する電圧を切替え、その出力のアクチュエータ系駆動ＤＣ電源電圧を各アクチュエータ系駆動機へ供給する。
トランジスタ１５とＤＣ／ＤＣコンバータ１６が、各アクチュエータ系駆動機へ供給するＤＣ電源電圧を調整する手段に相当する。
【００１９】
また、圧縮機回転数に対応したマップを持ち、１対１にてＤＣ電源電圧を調整してもよい。
【００２０】
また、圧縮機停止中に外気温度や庫内負荷に変動あった場合、次回圧縮機起動時に上記制御を実施してもよい。
【００２１】
また、圧縮機停止中に外気温度や庫内負荷に変動があり、外気温度や庫内負荷が任意の設定値に対して設定範囲内の場合、その時点にてＤＣ電源電圧を調整してもよい。あるいは次回圧縮機起動時にＤＣ電源電圧を調整してもよい（詳細は後述の実施の形態５〜８に記載）。
【００２２】
上記のように構成すると、庫内負荷や外気温や運転状態に応じたアクチュエータ系駆動ＤＣ電源電圧の最適化により、圧縮機１のＯＮ／ＯＦＦに関わらず、ＤＣ電源電圧の低電圧化を図ることが可能となり、各アクチュエータＤＣ駆動機の駆動電圧低減による効果により消費電力量の低減が可能となる。
【００２３】
実施の形態２．
実施の形態２は、軽負荷運転時にアクチュエータ系駆動ＤＣ電源電圧を最低電圧に調整することを特徴としている。
【００２４】
図５は実施の形態２を示す図で、冷凍冷蔵庫の制御を示すフローチャートである。先ず、軽負荷運転実施判定を行い（ステップ２０１）、軽負荷運転実施中であれば、ＤＣ電源電圧を最低電圧へと調整を行う（ステップ２０２）。
【００２５】
次に、省エネ運転中断の場合（ステップ２０３）、圧縮機回転数の変更有無を判定し（ステップ２０４）、圧縮機回転数の変更有りの場合、圧縮機回転数判定を実施し（ステップ２０５、２０６）、適正なＤＣ電源電圧へ調整実施する（ステップ２０７、２０８）。
【００２６】
また、圧縮機回転数に対応したマップを持ち、１対１にてＤＣ電源電圧を調整してもよい。
【００２７】
また、圧縮機１の運転によらずに、軽負荷運転実施と判断した場合は、ＤＣ電源電圧を最低電圧に調整してもよい。軽負荷運転解除時は、圧縮機運転中ならば上記制御を実施、圧縮機停止中ならば、軽負荷運転解除と同時にＤＣ電源電圧を適正値に調整する。
【００２８】
上記のように構成すると、圧縮機１のＯＮ／ＯＦＦによらず、軽負荷運転時に各アクチュエータＤＣ駆動機の駆動電圧低減により消費電力量を最大限に低減することが可能となる。実機効果としてＤＣ電源電圧を１３．２Ｖから１１．５Ｖに変更した際、約０．５％の省エネ効果が得られる。
【００２９】
実施の形態３．
実施の形態３は、温度調節スイッチと連動しアクチュエータ系駆動ＤＣ電源電圧を調整する手段を設けたことを特徴としている。
【００３０】
図６、７は実施の形態３を示す図で、図６は冷凍冷蔵庫の構成を示す模式図、図７は冷凍冷蔵庫の制御の一例を示すフローチャート図である。図６において、温度調節スイッチ（スイッチ）１７は庫外（例えば扉の前面）に設置されている。但し、庫内に温度調節スイッチ１７を設けてもよい。その他の構成は図１と同様である。
【００３１】
図７において、例えば、温度調節スイッチ変更有無の判定を実施し（ステップ３０１）、温度調節スイッチ変更有の場合は、温度調節スイッチの位置判定を実施し（ステップ３０２、３０３）、任意に設定した温度調節スイッチ位置より低めの位置に設定した場合、変更と同時にＤＣ電源電圧の調整を実施する（ステップ３０４）。
【００３２】
また、任意に設定した温度調節スイッチ位置より高めの位置に設定した場合、変更と同時にＤＣ電源電圧の調整を実施する（ステップ３０５）。
【００３３】
また、任意に設定した温度調節スイッチ位置範囲内の場合、次回圧縮機起動時の圧縮機回転数の変更有無を判定し（ステップ３０６）し、変更ある場合は圧縮機回転数の判定を実施し（ステップ３０７、３０８）、各々に最適なＤＣ電源電圧に調整する（ステップ３０４、３０５）。
【００３４】
上記のように構成すると、圧縮機の温度調節スイッチ１７の各々の設定位置に対し、各アクチュエータＤＣ駆動機のＤＣ電源電圧を各々に最適な状態に設定可能となり、無駄のない効率的な運転が可能となる。
【００３５】
実施の形態４．
実施の形態４は、貯氷量を検知する手段を設け、所定量以上にてアクチュエータ系駆動ＤＣ電源電圧を調整する手段を設けたことを特徴としている。
【００３６】
図８〜１０は実施の形態４を示す図で、図８、９は冷凍冷蔵庫の構成を示す模式図、図１０は冷凍冷蔵庫の制御の一例を示すフローチャート図である。
【００３７】
図８に示すように、貯氷室１８は、切替室１９に隣接し、冷蔵室６と野菜室７との間に位置する。
【００３８】
貯氷室１８には、図９に示すように、上部に製氷皿２０があり、その下方に氷２３を貯える貯氷箱２２があり、製氷皿２０と貯氷箱２２との間に検氷レバー２１（貯氷量を検知する手段）が設けられ、貯氷室扉２４を備える。
【００３９】
製氷皿２０に給水し、任意の設定温度に到達時、あるいは任意の設定時間到達時に製氷皿２０内に生成した氷２３を貯氷箱２２に貯える。その後ある任意の時間経過後、検氷レバー２１を動作させ、検氷レバー２１の動作角度により貯氷箱２２内の貯氷量を検知する。
【００４０】
図１０において、例えば、貯氷量検知手段が任意の時定数により貯氷量の検知を実施し（ステップ４０１）、貯氷を検知した場合、任意の所定量判定を実施し（ステップ４０２）、貯氷量が所定量以上の場合、適正な電源電圧への調整を実施する（ステップ４０３）。
【００４１】
その後、任意の設定時間経過後（ステップ４０４）、再度貯氷量検知を実施し（ステップ４０５）、所定量以下の場合は再度ＤＣ電源電圧を元の設定に調整を実施し（ステップ４０６）、任意の設定時間経過後（ステップ４０７）、同様の制御を繰り返す。
【００４２】
貯氷量検知（ステップ４０５）にて、所定量以上の場合は図示ａにて示す制御を繰り返し実施する。
【００４３】
また、ＤＣ電源電圧調整を数段階に分割し、きめ細かく適正設定を実施しても良い（フローチャートにて点線ｂで示す制御を繰り返し実施し、最低電圧となったところで実線ａに移行する）。
【００４４】
上記のように構成すると、例えば、貯氷量が所定量以上の場合、ＤＣ電源電圧の低電圧化を実施により、庫内・機械室ファン回転数の低回転側運転による消費電力量の低減を実現し、かつ、貯氷室１８への供給風量を最適化することにより、風量最適化による氷の昇華防止を図ることが可能となる。また本制御は圧縮機１のＯＮ／ＯＦＦによらない。
【００４５】
実施の形態５．
実施の形態５は、扉開閉を検知する手段を設け、扉開閉と同時にアクチュエータ系駆動ＤＣ電源電圧を調整する手段を設けたことを特徴としている。
【００４６】
図１１、１２は実施の形態５を示す図で、図１１は冷凍冷蔵庫の構成を示す模式図、図１２は冷凍冷蔵庫の制御の一例を示すフローチャート図である。
【００４７】
図１１に示すように、例えば、冷蔵室６の扉近傍に、扉開閉検知手段２５を備える。扉開閉検知手段２５は、扉開閉により発生する電気的な信号をマイコン１４に入力し、扉開閉を判定する。
【００４８】
扉開閉検知手段２５の設置場所は庫外・庫内に選らず、設置個数も任意でよい。
【００４９】
図１２において、例えば、扉開閉検知手段２５より扉開閉実施の検知を実施し（ステップ５０１）、扉開閉実施有りの場合、扉開閉と同時にＤＣ電源電圧を高電圧側に調整する（ステップ５０２）。
【００５０】
任意の設定時間経過後（ステップ５０３）、再度扉開閉実施有無判定を実施し（ステップ５０４）、扉開閉無い場合は、ＤＣ電源電圧を元の状態に再調整し（ステップ５０５）、必要最小限の期間のみ電源電圧を上昇し、ロスを最低限に抑える。
【００５１】
扉開閉実施有の場合は、図示ａにて示す制御を繰り返し実施する。
【００５２】
また、ＤＣ電源電圧調整を数段階に分割し、きめ細かく適正設定を実施し、ロスを最低限に抑える制御を実施しても良い（フローチャートにて点線ｂで示す制御を繰り返し実施し、最低電圧となったところで実線ａに移行する）。
【００５３】
上記のように構成すると、例えば、開閉により庫内の冷気が外部に漏洩し、庫内温度上昇による負荷増に対応し、必要最低限の期間のみＤＣ電源電圧を増加側へ調整し、庫内・機械室ファン回転数を高回転側にて運転することにより、ＤＣ電源電圧が高電圧状態で運転する期間を従来よりも短縮することによる消費電力量の低減を実現し、かつ、冷却時間の短縮、庫内食品の劣化防止および鮮度低下防止を図ることが可能となる。また本制御は圧縮機のＯＮ／ＯＦＦによらない。
【００５４】
実施の形態６．
実施の形態６は、外気温度検知手段を設け、所定温度範囲内にてアクチュエータ系駆動ＤＣ電源電圧を調整する手段を設けたことを特徴としている。
【００５５】
図１３、１４は実施の形態６を示す図で、図１３は冷凍冷蔵庫の構成を示す模式図、図１４は冷凍冷蔵庫の制御の一例を示すフローチャート図である。
【００５６】
図１３に示すように、冷凍冷蔵庫の外部の任意の位置に外気温度検知用サーミスタ（外気温度検知手段）を設ける。
【００５７】
図１４において、例えば、外気温度検知用サーミスタにより外気温度判定を実施し（ステップ６０１）、外気温度が任意の所定温度範囲内の場合、電源電圧の調整を実施する（ステップ６０２）。
【００５８】
任意の設定時間経過後（ステップ６０３）、外気温度判定を実施し（ステップ６０４）、外気温度が任意の所定温度範囲外の場合は、ＤＣ電源電圧を元の状態に再調整する（ステップ６０５）。
【００５９】
外気温度が任意の所定温度範囲内の場合は、図示ａにて示す制御を繰り返し実施する。
【００６０】
また、ＤＣ電源電圧調整を数段階に分割し、きめ細かく適正設定を実施しても良い（フローチャートにて点線ｂで示す制御を繰り返し実施し、最低あるいは最高電圧となったところで実線ａに移行する）。
【００６１】
上記のように構成すると、例えば、外気温度の所定範囲を高めに設定した場合、必要最低限の期間のみＤＣ電源電圧を増加側へ調整し、庫内・機械室ファン回転数を高回転側にて運転することにより、ＤＣ電源電圧が高電圧状態で運転する期間を従来よりも短縮することによる消費電力量の低減を実現し、かつ、風量増加による冷却時間の短縮、庫内食品の劣化・鮮度低下を防止を図ることが可能となる。
【００６２】
また、例えば、外気温度の所定範囲を低めに設定した場合、ＤＣ電源電圧を最低電圧側に調整することによる各アクチュエータＤＣ駆動機の駆動電圧低減により消費電力量を最大限に低減することが可能となる。
【００６３】
また、外気温度の所定範囲を中間温度域に設定した場合、庫内食品の劣化・鮮度低下の防止を図ると共に、消費電力の低減を図ることが可能となる（低減幅は前述記載のものよりやや少量）。
【００６４】
また本制御は圧縮機のＯＮ／ＯＦＦによらない。
【００６５】
実施の形態７．
実施の形態７は、庫内温度検知手段を設け、所定温度範囲内にてアクチュエータ系駆動ＤＣ電源電圧を調整する手段を設けたことを特徴としている。
【００６６】
実施の形態７の冷凍冷蔵庫の構成は図１と同様であり、冷蔵室内温度検知用サーミスタ１０、冷凍室内温度検知用サーミスタ１１を備える。
【００６７】
図１５は実施の形態７を示す図で、冷凍冷蔵庫の制御の一例を示すフローチャート図である。図において、圧縮機運転判定を実施し（ステップ７０１）、圧縮機運転中であれば、冷蔵室用ダンパ（Ｒダンパ）開判定を実施する（ステップ７０２）。冷蔵室内温度検知用サーミスタ１０（室内温度検知手段）より冷蔵室内温度（Ｒｔｈ）判定を実施し（ステップ７０３）、並びに冷凍室内温度検知用サーミスタ１１（室内温度検知手段）より冷凍室内温度（Ｆｔｈ）判定を実施する（ステップ７０４）。冷蔵室内温度並びに冷凍室内温度が任意の所定温度範囲内の場合、電源電圧の調整を実施する（ステップ７０５）。
【００６８】
その後、任意の設定時間経過後（ステップ７０６）、再度冷蔵室ダンパ開判定を実施し（ステップ７０７）、かつ、冷蔵室内温度検知用サーミスタ１０より冷蔵室内温度判定を実施し（ステップ７０８）、並びに冷凍室内温度検知用サーミスタ１１より冷凍室内温度判定を実施する（ステップ７０９）。
【００６９】
冷蔵室内温度並びに冷凍室内温度が任意の所定温度範囲内の場合、図示ａにて示す制御を繰り返し実施する。
【００７０】
また、ＤＣ電源電圧調整を数段階に分割し、きめ細かく適正設定を実施しても良い（フローチャートにて点線ｂで示す制御を繰り返し実施し、最低あるいは最高電圧となったところで実線ａに移行する）。
【００７１】
冷蔵室内温度並びに冷凍室内温度が任意の所定温度範囲外の場合、電源電圧を元の設定へと調整を実施する（ステップ７１０）。
【００７２】
冷蔵室ダンパ開判定（ステップ７０２，７０７）にて、閉状態と判定された場合、冷凍室内温度判定を実施し（ステップ７１１）、任意の所定温度範囲内の場合は、ＤＣ電源電圧の調整を実施する（ステップ７１２）。
【００７３】
任意の設定時間経過後（ステップ７１３）、再度冷凍室内温度判定を実施し（ステップ７１４）、任意の所定温度範囲外の場合はＤＣ電源電圧を元の設定（ステップ７１１直前の設定）に調整する（ステップ７１５）。
【００７４】
任意の所定温度範囲内の場合は、圧縮機運転判定を実施し（ステップ７１６）、圧縮機運転状態と判定した場合、図示ｃにて示す制御を繰り返し実施する。
【００７５】
また、ＤＣ電源電圧調整を数段階に分割し、きめ細かく適正設定を実施しても良い（フローチャートにて点線ｃで示す制御を繰り返し実施し、最低あるいは最高電圧となったところで実線ｄに移行する）。
【００７６】
圧縮機停止状態と判定した場合は、ＤＣ電源電圧を初期値の状態に調整し（ステップ７１７）、再度圧縮機運転判定を実施後（ステップ７０１）、同様の制御を実施する。
【００７７】
また、制御上、ステップ７０２、ステップ７０６、ステップ７１３は省略しても良い。
【００７８】
上記のように構成すると、例えば、冷蔵室６および冷凍室８にて、共に冷却する場合、冷凍室８のみ冷却する場合とフェーズを分割し、各々の状態にて最適なＤＣ電源電圧に調整することによる効率的な運転が可能となり、従来よりも消費電力量の低減が可能となる。
【００７９】
また、区画された部屋数が増加した場合、各々の部屋に温度検知手段を設けることにより、更にフェーズを分割することが可能となり、同様な効率的な運転が可能となる。
【００８０】
実施の形態８．
実施の形態８は、冷却器温度を検知する手段を設け、所定温度範囲内にてアクチュエータ系駆動ＤＣ電源電圧を調整する手段を設けたことを特徴としている。
【００８１】
図１６、１７は実施の形態８を示す図で、図１６は冷凍冷蔵庫の構成を示す模式図、図１７は冷凍冷蔵庫の制御の一例を示すフローチャート図である。
図１６に示すように、冷却器２に冷却器温度検知用サーミスタ２７（冷却器温度を検知する手段）を設けて、冷却器２の温度を検出する。
【００８２】
図１７において、例えば、冷却器温度検知用サーミスタ２７により冷却器温度判定を実施し（ステップ８０１）、冷却器温度が任意の所定温度範囲内の場合、電源電圧の調整を実施する（ステップ８０２）。
【００８３】
その後、任意の設定時間経過後（ステップ８０３）、再度冷却器温度判定を実施し（ステップ８０４）、任意の所定温度範囲外の場合、ＤＣ電源電圧を元の状態に調整する（ステップ８０５）。
【００８４】
冷却器温度が任意の所定温度範囲内の場合、図示ａにて示す制御を繰り返し実施する。
【００８５】
また、ＤＣ電源電圧調整を数段階に分割し、きめ細かく適正設定を実施しても良い（フローチャートにて点線ｂで示す制御を繰り返し実施し、最低電圧あるいは最高電圧となったところで実線ａに移行する）。
【００８６】
上記のように構成すると、例えば、冷却器温度の所定範囲を低めに設定した場合（冷却器内部の冷媒過多状態）、必要最低限の期間のみＤＣ電源電圧を増加側へ調整し、庫内・機械室ファン回転数を高回転側にて運転することにより、ＤＣ電源電圧が高電圧状態で運転する期間を従来よりも短縮することによる消費電力量の低減を実現し、かつ、風量増加による冷却時間の短縮、並びに液バックによる圧縮機負荷増加あるいは故障に対する保護を図ることが可能となる。
【００８７】
また、例えば、冷却器温度の所定範囲を高めに設定した場合（冷却器内部の冷媒不足状態）、ＤＣ電源電圧を最低電圧側に調整することによる各アクチュエータＤＣ駆動機の駆動電圧低減により消費電力量を最大限に低減することが可能となり、ファン速度を低回転側に切替ることにより、吹出し温度を低下し、冷却時間の短縮並びにファン運転時の入力低減により、更なる消費電力量の低減を図ることが可能となる。
【００８８】
また、冷却器温度の所定範囲を中間温度域に設定した場合、適正風量による冷却時間の短縮、圧縮機の保護、消費電力の低減を図ることが可能となる（低減幅は前述記載のものよりやや少量）。
【００８９】
実施の形態９．
実施の形態９は、圧縮機の吸入管温度を検知する手段を設け、所定温度範囲内にてアクチュエータ系駆動ＤＣ電源電圧を調整する手段を設けたことを特徴とする。
【００９０】
図１８、１９は実施の形態９を示す図で、図１８は冷凍冷蔵庫の構成を示す模式図、図１９は冷凍冷蔵庫の制御の一例を示すフローチャート図である。
図１８に示すように、圧縮機１の吸入管２８に吸入管温度検知用サーミスタ２９（圧縮機の吸入管温度を検知する手段）を取り付ける。
【００９１】
図１９において、吸入管温度検知用サーミスタ２９により吸入管温度判定を実施し（ステップ９０１）、吸入管温度が任意の所定温度範囲内の場合、ＤＣ電源電圧の調整を実施する（ステップ９０２）。
【００９２】
その後、任意の設定時間経過後（ステップ９０３）、再度吸入管温度判定を実施し（ステップ９０４）、任意の所定範囲外の場合、ＤＣ電源電圧を元の状態に調整する（ステップ９０５）。
【００９３】
吸入管温が任意の所定温度範囲内の場合、図示ａにて示す制御を繰り返し実施する。
【００９４】
また、ＤＣ電源電圧調整を数段階に分割し、きめ細かく適正設定を実施しても良い（フローチャートにて点線ｂで示す制御を繰り返し実施し、最低電圧あるいは最高電圧となったところで実線ａに移行する）。
【００９５】
上記のように構成すると、例えば、吸入管温度の所定範囲を低めに設定した場合（冷却器内部の冷媒過多状態）、圧縮機回転数を低下し、かつ必要最低限の期間のみＤＣ電源電圧を増加側へ調整し、庫内・機械室ファン回転数を高回転側にて運転することにより、ＤＣ電源電圧が高電圧状態で運転する期間を従来よりも短縮することによる消費電力量の低減を実現し、かつ、風量増加による冷却時間の短縮、並びに液バックによる圧縮機負荷増加あるいは故障に対する保護を図ることが可能となる。
【００９６】
また、例えば、吸入管温度の所定範囲を高めに設定した場合（冷却器内部の冷媒不足状態）、圧縮機回転数を若干増加し、ＤＣ電源電圧を最低電圧側に調整することによる各アクチュエータＤＣ駆動機の駆動電圧低減により消費電力量を最大限に低減することが可能となり、ファン速度を低回転側に切替ることにより、吹出し温度を低下し、冷却時間の短縮並びにファン運転時の入力低減により、更なる消費電力量の低減を図ることが可能となる。
【００９７】
また、吸入管温度の所定範囲を中間温度域に設定した場合、適正風量による冷却時間の短縮、圧縮機の保護、消費電力の低減を図ることが可能となる（低減幅は前述記載のものよりやや少量）。
【図面の簡単な説明】
【００９８】
【図１】実施の形態１を示す図で、冷凍冷蔵庫の構成を示す模式図である。
【図２】実施の形態１を示す図で、冷凍サイクルを示す図である。
【図３】実施の形態１を示す図で、ＤＣ電源電圧の調整の制御の一例を示すフローチャート図である。
【図４】実施の形態１を示す図で、基板の概念図である。
【図５】実施の形態２を示す図で、冷凍冷蔵庫の制御を示すフローチャートである。
【図６】実施の形態３を示す図で、冷凍冷蔵庫の構成を示す模式図である。
【図７】実施の形態３を示す図で、冷凍冷蔵庫の制御の一例を示すフローチャート図である。
【図８】実施の形態４を示す図で、冷凍冷蔵庫の構成を示す模式図である。
【図９】実施の形態４を示す図で、冷凍冷蔵庫の構成を示す模式図である。
【図１０】実施の形態４を示す図で、冷凍冷蔵庫の制御の一例を示すフローチャート図である。
【図１１】実施の形態５を示す図で、冷凍冷蔵庫の構成を示す模式図である。
【図１２】実施の形態５を示す図で、冷凍冷蔵庫の制御の一例を示すフローチャート図である。
【図１３】実施の形態６を示す図で、冷凍冷蔵庫の構成を示す模式図である。
【図１４】実施の形態６を示す図で、冷凍冷蔵庫の制御の一例を示すフローチャート図である。
【図１５】実施の形態７を示す図で、冷凍冷蔵庫の制御の一例を示すフローチャート図である。
【図１６】実施の形態８を示す図で、冷凍冷蔵庫の構成を示す模式図である。
【図１７】実施の形態８を示す図で、冷凍冷蔵庫の制御の一例を示すフローチャート図である。
【図１８】実施の形態９を示す図で、冷凍冷蔵庫の構成を示す模式図である。
【図１９】実施の形態９を示す図で、冷凍冷蔵庫の制御の一例を示すフローチャート図である。
【符号の説明】
【００９９】
１  圧縮機、２  冷却器、３  庫内ファン、３ａ  可変速ＤＣモータ、４  冷蔵室用風路、４ａ  冷蔵室用ダンパ、５  冷凍室用風路、５ａ  冷凍室用ダンパ、６  冷蔵室、７  野菜室、８  冷凍室、９  制御基板、１０  冷蔵室内温度検知用サーミスタ、１１  冷凍室内温度検知用サーミスタ、１２  温度検出手段、１３  庫内温度調節手段、１４  マイコン、１５  トランジスタ、１６  ＤＣ／ＤＣコンバータ、１７  温度調節スイッチ、１８  貯氷室、１９  切替室、２０  製氷皿、２１  検氷レバー、２２  貯氷箱、２３  氷、２４  貯氷室扉、２５  扉開閉検知手段、２６  外気温度検知用サーミスタ、２７  冷却器温度検知用サーミスタ、２８  吸入管、２９  吸入管温度検知用サーミスタ、３０  凝縮器、４０  減圧装置、５０  冷媒回路。
【図１】
2005214497.tif 000003
【図２】
2005214497.tif 000004
【図３】
2005214497.tif 000005
【図４】
2005214497.tif 000006
【図５】
2005214497.tif 000007
【図６】
2005214497.tif 000008
【図７】
2005214497.tif 000009
【図８】
2005214497.tif 000010
【図９】
2005214497.tif 000011
【図１０】
2005214497.tif 000012
【図１１】
2005214497.tif 000013
【図１２】
2005214497.tif 000014
【図１３】
2005214497.tif 000015
【図１４】
2005214497.tif 000016
【図１５】
2005214497.tif 000017
【図１６】
2005214497.tif 000018
【図１７】
2005214497.tif 000019
【図１８】
2005214497.tif 000020
【図１９】
2005214497.tif 000021